(57)【要約】  電気的コンポーネントが提案され、この電気的コンポーネントは電気的に絶縁された又は半導体基板上に設けられた導電性構造体及び電圧又は電気的フラッシュオーバに対してセンシティブな電気的に互いに分離されたコンポーネント構造体を有する。電気的に分離されたコンポーネント構造体の間のフラッシュオーバの回避のためにこれらはシャント線路によって短絡され、このシャント線路は他の電気的導体路に比べて低減された断面積を有する。任意の時点で、とりわけコンポーネントの完全な完成の後で、シャント線路は電流の印加によって溶断されうる。この場合、コンポーネント構造体の電気的な分離はこれがコンポーネントの機能にとって必要である限りにおいてもたらされる。
2007520949.tif 000002
【特許請求の範囲】
【請求項１】
電気的コンポーネントにおいて、
半導体又は電気的絶縁基板を有し、
基板上に又は基板内に設けられた電気的導体路及び導電性構造体を有し、
電圧に対してセンシティブな又は電気的フラッシュオーバにより危険に晒される少なくとも２つのコンポーネント構造体を有し、
コンポーネントのフロントエンドにおいて前記少なくとも２つのコンポーネント構造体はシャント線路によって短絡されており、該シャント線路は前記電気的導体路に比べて低減された断面積を有し、外部からアクセス可能な２つの電気的端子に接続されている、電気的コンポーネント。
【請求項２】
全てのセンシティブな又は危険に晒されるコンポーネント構造体は少なくとも１つのシャント線路によって短絡されている、請求項１記載のコンポーネント。
【請求項３】
シャント線路は低減された断面積を有する少なくとも１つの区間を有する、請求項１又は２記載のコンポーネント。
【請求項４】
全てのコンポーネント構造体は電気的導体路を介して電気的端子面に接続されており、該電気的端子面はまた少なくとも１つのシャント線路によって短絡されている、請求項１〜３のうちの１項記載のコンポーネント。
【請求項５】
シャント線路及び導体路は同一の金属被覆層から成る、請求項１〜４のうちの１項記載のコンポーネント。
【請求項６】
シャント線路は基板の表面上に設けられている、請求項１〜５のうちの１項記載のコンポーネント。
【請求項７】
基板は焦電的又は圧電的特性を有する材料を含む、請求項１〜６のうちの１項記載のコンポーネント。
【請求項８】
基板はＬＴＣＣ又はＨＴＣＣセラミックを含む、請求項１〜７のうちの１項記載のコンポーネント。
【請求項９】
シャント線路を介して電気的に互いに接続された２つの端子面はくさび形の金属面を有し、該くさび形の金属面は互いに先端部によって互いに向かい合っており、前記シャント線路は２つのこのような金属面の先端部を接続する、請求項４〜８のうちの１項記載のコンポーネント。
【請求項１０】
ケーシングに入れられたＭＥＭＳ、ＳＡＷ又はＦＢＡＲコンポーネントとして形成され、シャント線路はコンポーネントケーシング内部に設けられている、請求項１〜９のうちの１項記載のコンポーネント。
【請求項１１】
溶断した、従って電気的に遮断されたシャント線路を有する、請求項１〜１０のうちの１項記載のコンポーネント。
【請求項１２】
ＥＳＤに対してセンシティブな電気的コンポーネントの製造のための方法において、
基板上に又は基板内に電気的導体路を有するコンポーネント構造体がパターン化された金属被覆層の塗付によって発生され、
コンポーネント機能に必要な金属被覆層に加えて少なくとも１つのシャント線路が発生され、該シャント線路は完成されたコンポーネント内で電気的に互いに分離された２つのコンポーネント構造体を電気的に短絡し、
シャント線路は、外部からアクセス可能な２つの電気的端子面の間に延在し、少なくとも１つの区間を有し、該少なくとも１つの区間において線路断面積は電気的導体路の断面積よりも低減されており、
コンポーネントは完成され、
コンポーネントの完成の後でシャント線路に接続された２つの端子に電流が印加され、該電流は低減された断面積を有する区間を溶断し、こうして短絡も除去する、ＥＳＤに対してセンシティブな電気的コンポーネントの製造のための方法。
【請求項１３】
コンポーネントは完成の枠内でパッケージングされるか又はカプセル化される、請求項１２記載の方法。
【請求項１４】
複数のシャント線路が発生され、これらの複数のシャント線路は複数のステップで相応の端子対に電流をシーケンシャルに印加することによって溶断される、請求項１２又は１３記載の方法。
【請求項１５】
溶断はコントロールされて行われ、端子に印加される電流はこの電流が消滅するまでコントロールされて高められ、次いで端子に印加される電圧が除去される、請求項１２〜１４のうちの１項記載の方法。
【請求項１６】
シャント線路は電気的導体路及び／又は導電性コンポーネント構造体の発生のための最初の金属被覆とともに発生される、請求項１２〜１５のうちの１項記載の方法。
【請求項１７】
低減された断面積を有するシャント線路の区間は完成されたコンポーネントにおいてカバーされていない表面上に又は少なくとも１つの中空スペース内に設けられている、請求項１２〜１６のうちの１項記載の方法。
【請求項１８】
金属被覆は基板としてのウェハ上の複数のコンポーネント領域において実施され、ウェハは完成の枠内で個々のコンポーネントに切り分けられ、シャント線路がそれぞれコンポーネント領域内部のコンポーネント構造体だけを短絡させる、請求項１２〜１７のうちの１項記載の方法。
【発明の詳細な説明】
【技術分野】
【０００１】
電気的コンポーネント、とりわけ僅少な断面積の電気的導体路又はコンポーネント内に互いに僅少な間隔で設けられているコンポーネント構造体を有する小型化された電気的コンポーネントでは、静電荷及び静電気放電による問題が頻繁に発生し、これらの問題は一般的にＥＳＤ問題（静電気放電Electrostatic Discharge）として周知である。僅少な寸法又は僅少な間隔のために、このようなコンポーネントでは静電気に基づいて隣り合うコンポーネント構造体の間でフラッシュオーバが生じ、これらのフラッシュオーバはコンポーネント構造体の損傷又は破壊をもたらしうる。静電荷及びこれによりコンポーネントにおいて異なるコンポーネント構造体の間に印加される電圧は、摩擦電気に基づいて、外部電位とのコンタクトによって、空中電荷を介して生じる。とりわけ、焦電的又は圧電的特性を有する材料では、温度変化又は（圧電材料の場合には）材料への大きな機械的負荷を含む加工ステップのために強い電気的帯電がもたらされる。
【０００２】
このような電圧が２つの電気的に互いに絶縁されたコンポーネント構造体の間に形成され、これらのコンポーネント構造体が高絶縁性の又は半導体性の材料の上に設けられている場合には、これは降伏電圧を上回ると電気的なフラッシュオーバをもたらしうる。この電気的フラッシュオーバは、有利には、電気的に互いに絶縁されたコンポーネント構造体がきわめて僅少な間隔を有する箇所において又はコンポーネント構造体の特殊な幾何学的形状のために比較的高い電荷密度が生じる箇所において起こる。
【０００３】
とりわけ、この問題が該当するのは、基板として圧電材料及び／又は焦電材料の上に構成されるコンポーネントである。これは、とりわけＳＡＷコンポーネント、ＦＢＡＲコンポーネント又はＭＥＭＳコンポーネント（マイクロメカニカルシステムズ）のようなマイクロアコースティックコンポーネントに関する。この問題は基板材料の高絶縁特性によって増幅され、この基板材料の高絶縁特性は高オーミック線路を介する静電電圧の自然な低下を妨げる。
【０００４】
大きな静電電圧の形成を阻止する乃至は静電電圧を低下させる様々な手段が周知である。とりわけ、例えばコンポーネント構造体と基板との間の高オーミック層の形式における（例えばＤＥ−Ａ−１０２２０３４７又はＥＰ−Ａ−１２４７３３８参照）又は高オーミックな電気的接続の形式における（例えばＵＳ５６９９０２６参照）センシティブなコンポーネント構造体の間の高オーミック接続を有するコンポーネントが周知である。このような高オーミック接続によってセンシティブなコンポーネントはゆっくりと形成される過電圧から保護される。しかし、この解決策の欠点はとりわけＳＡＷフィルタで高い挿入損において目立つこのようなコンポーネントの劣悪なパフォーマンスならびに大きな占有面積及び迅速に形成される電荷における効果の欠如である。
【０００５】
従って、本発明の課題は、過電圧又は静電気放電に対してセンシティブなコンポーネント構造体を有し、しかし、全製造プロセスの間に簡単なやり方でこのような損害から保護され、さらに周知の解決策の上記欠点を回避する電気的コンポーネントを提供することである。
【０００６】
上記課題は、本発明によれば、請求項１記載の電気的コンポーネントによって解決される。本発明の有利な実施形態及びこのようなコンポーネントの製造のための方法は後続の請求項から得られる。
【０００７】
本発明は、電気的コンポーネントを提供し、この電気的コンポーネントは半導体又は電気的絶縁基板上に構成されている。基板上に又は基板内に電気的導体路及び導電性構造体が設けられており、これらの構造体は少なくとも２つのコンポーネント構造体を含み、これらの少なくとも２つのコンポーネント構造体は完成されたコンポーネントにおいて通常は強制的には互いに電気的に絶縁されてはおらず、電気的なフラッシュオーバ又は静電電圧にセンシティブである。
【０００８】
このようなコンポーネントは本発明によれば次のことによって改善される。すなわち、少なくとも２つのコンポーネント構造体がコンポーネントのフロントエンドにおいてシャント線路によって短絡され、このシャント線路が基板内又は基板上に設けられており、さらに電気的導体路に比べて低減された断面積を有し、外部からアクセス可能な２つの電気的端子に接続されている。このようなシャント線路によってコンポーネントの電気的に互いに分離された全コンポーネント構造体が短絡され、この結果、静電気のためのフラッシュオーバ又は損傷が実際的に排除される。なぜなら、全てのコンポーネント構造体の短絡によってこれらのコンポーネント構造体は全体として同一の電位に置かれ、内部電圧が形成され得ないからである。このようなコンポーネントは全製造プロセスの間保護されている。
【０００９】
短絡によってもちろんコンポーネント機能自体が妨げられ、この結果、シャント線路により発生された短絡はコンポーネントの最初の動作の前に除去されなければならない。これは本発明によれば簡単なやり方でシャント線路の溶断をもたらす電流パルスを用いるシャント線路の過負荷によって可能である。シャント線路は他の導体路に比べて低減された断面積を有するので、溶断は既に他のコンポーネント及び他の導体路にとって危険ではなくかつ有利には通常動作において生じる電流の範囲にある電流強度において行われうる。
【００１０】
シャント線路の溶断は、例えばケーシングの中への組み込み又はその他のカプセル化を含むコンポーネントの完全な完成の後ではじめて行われうる。シャント線路は直接又は間接的に２つの外部にある電気的端子を介して、とりわけコンポーネントの端子ピン又は端子コンタクトを介して電気的に接続されており、この結果、これらの端子を介してシャント線路の溶断に必要な電流が印加されうる。これはコンポーネントのカプセル化又はケーシングの中への組み込みの後でも行われうる。
【００１１】
複数のシャント線路が存在するならば、溶断のために異なる外部端子対に時間的にパラレルに又は場合によってはシーケンシャルにできるだけ異なる電圧が印加される。複数のシャント線路を互いに接続し、これらのシャント線路の溶断のためにただ１つの電流パルスを１つの外部端子対に印加しさえすればよい。コンポーネント内に複数のシャント線路が存在する場合には、これらは同じ様に又は構造、ジオメトリ又は金属被覆に関しても異なるように構成されうる。
【００１２】
溶断されたシャント線路は完成されたコンポーネント内では決して不利な結果をもたらさず、コンポーネント上にほんの僅かな面積しか必要としない。シャント線路の溶断は相応の導体材料の溶解又は蒸発によって行われ、このために必要なエネルギはシャント線路における抵抗加熱によって生じ、このシャント線路は低減された断面積において高められた電気抵抗を有する。
【００１３】
本発明によって、全てのセンシティブな又は危険に晒されるコンポーネント構造体又は全ての電気的に互いに分離された導電性構造体を１つ又は複数の容易に除去可能なシャント線路によって接続し短絡させることが可能である。
【００１４】
有利には、シャント線路において低減された断面積を有するただ１つの比較的短い区間を形成することが可能である。これは、基板上の所望の箇所に置かれうる目標溶断箇所をもたらす。この場合、シャント線路自体は場合によっては遠く隔たったコンポーネント構造体同士を相応に接続するためにはるかに長く構成されうる。こうして、コンポーネント機能を損なうことなしに、外部端子と接続されていないフローティング導電性構造体もシャント線路によって防護することが可能である。
【００１５】
有利にはシャント線路は基板上の電気的端子面の間に設けられる。これらの端子面は通常はコンポーネントの外部端子と電気的に接続されているので、溶断の際にシャント線路の電気的反応可能性も保証される。このようなシャント線路によって端子面と接続された全ての金属被覆部層は短絡する。
【００１６】
コンポーネントの製造の際には、シャント線路はできるだけ初期の製造ステップで、有利には最初の金属被覆とともに発生され、この最初の金属被覆において本来のコンポーネント機能のための他の導体路及びコンポーネント構造体も発生される。これは次のような利点を有する。すなわち、シャント線路の製造のために専用の方法ステップが必要ではなく、コンポーネントが製造の間の方法ステップの最大個数に亘って保護される。従って、シャント線路は有利には他の導体路と同じ金属被覆層から成る。これらのシャント線路は例えばリソグラフィを用いて製造されうる。
【００１７】
専らシャント線路の確実な溶断のためには、このシャント線路の導体断面積を少なくとも１つの区間において半分にすれば十分である。これによって２倍の抵抗がシャント線路の溶断のための電流パルスの導通の際に導体材料の溶解又は蒸発のために十分なエネルギの投入をもたらし、しかもこの場合例えば２倍の断面積で存在するその他の導体路が危険に晒されることはない。
【００１８】
導体路断面積の低減は例えばシャント線路に使用される導体路の幅が他の導体路に比べて低減されることによって行われる。しかし、シャント線路の領域における金属被覆層の厚さを小さくさせることも可能である。上記のように半分にすることのほかに、当然ながら、シャント線路の導体路断面積のより僅少な又はより大幅な低減も可能である。シャント線路の領域における金属被覆層の厚さの低減は、金属被覆層の発生のために使用されるリソグラフィが更なる構造縮小化を、すなわち導体路幅の低減を可能にしない場合には有利である。金属被覆層が例えば２層に又はそれより多くの複数層に多段階プロセスで製造されるならば、これらのシャント線路の金属被覆層の厚さの低減のためにはこれらの段階のうちの１つの段階を放棄する。
【００１９】
有利にはシャント線路は基板の表面上に設けられる。これは、シャント線路の溶断の際に蒸発する導体材料が付加的な短絡を引き起こすことなしに妨げられることなく蒸発してゆくことを乃至は最大限に分散できることを保証する。しかし、低減された断面積を有するシャント線路又はシャント線路の少なくとも部分区間を中空スペース内部に設けることも可能であり、この結果、シャント線路が溶解しただけでシャント線路の溶解による溶けた滴のためのスペースが与えられる。
【００２０】
本発明は、基板が焦電的又は圧電的特性を有する材料を含んでいる電気的コンポーネントにおいて特別な利点を提供する。焦電材料はコンポーネントの製造中の大部分の方法ステップにおいて回避できないような温度変化の際に電圧を発生する。圧電材料は同様にこのようなコンポーネントの製造の際に生じうる機械的負荷において電圧を発生する。コンポーネントが例えばウェハ平面上に製造されるならば、有利には鋸によって実施される切り分けが必要である。鋸による切断プロセスだけでも圧電的電圧がひきおこされ、摩擦によって生じた摩擦電気が増大する。本発明は確実なやり方でこれらのプロセスのために異なる電位が形成されることを阻止し、この結果、電気的フラッシュオーバ及び高い電圧に基づく損傷がコンポーネントにおいて回避される。
【００２１】
しかし圧電及び焦電基板材料だけが高い静電電圧の形成を引き起こすのではない。半導体コンポーネント又は他の電気的絶縁性基板上に形成されるコンポーネントでも静電荷が発生し、導電性構造体の構造に応じて電気的フラッシュオーバ及び損傷をもたらす。従って、本発明のコンポーネントは半導体コンポーネント、とりわけ小型化された集積回路、小型化されたセンサ、マイクロエレクトロメカニカルシステム及びマイクロオプティカルコンポーネントを含みうる。
【００２２】
本発明の対象は溶断されたシャント線路を有するコンポーネントでもある。なぜなら、これで初めて所望のコンポーネント機能が実現されるからである。
【００２３】
基板はＬＴＣＣ又はＨＴＣＣセラミックを含む。
【００２４】
次に本発明を実施例に基づいて及びこれに所属の図面に基づいて詳しく説明する。図面は本発明の様々な実施例の概略的かつ寸法に忠実ではない図を示す。
【００２５】
図１は概略的な平面図における２つのコンポーネント構造体及び１つのシャント線路を有する本発明のコンポーネントの基板を示し、
図２は本発明のシャント線路を有する特殊なコンポーネントの基板を示し、
図３は複数のシャント線路を有するコンポーネント構造体を示し、
図４はウェハ上の本発明の金属被覆層を示し、
図５は複数のシャント線路を有するコンポーネント構造体を示し、
図６は溶断の前の複数の互いに接続されたシャント線路を示し（図６Ａ）及び溶断の後の複数の互いに接続されたシャント線路を示し（図６Ｂ）、
図７はフローティング金属被覆層を橋絡するシャント線路を有するコンポーネント構造体を示す。
【００２６】
図１は概略的な平面図においてコンポーネントの基板Ｓを示し、この基板Ｓの上にはコンポーネント構造体ＢＳ１及びＢＳ２が示されており、これらのコンポーネント構造体ＢＳ１及びＢＳ２は例えば２つの金属被覆層である。この実施例では、第１のコンポーネント構造体ＢＳ１は電気的端子面ＡＦ１及びＡＦ２に接続されている。第２のコンポーネント構造体ＢＳ２は電気的端子面ＡＦ３及びＡＦ４にそれぞれ導体路ＬＢによって接続されており、全てのエレメントは基板の表面上に存在する。
【００２７】
２つのコンポーネント構造体ＢＳ１、ＢＳ２はコンポーネントの通常動作状態において電気的に分離されているが、直ぐ近くに隣り合っている。このため、例えばこれら２つの構造体のうちの一方の静電荷帯電のために降伏電圧を上回ってしまう場合には、これらの２つのコンポーネント構造体の間に電気的フラッシュオーバが起こりうる。本発明によれば、従って、２つのコンポーネント構造体は、例えば端子面ＡＦ２、ＡＦ３の間を接続するシャント線路ＳＬによって電気的に短絡される。シャント線路ＳＬはここでは通常の導体路のように形成されている区間を含む。さらに、このシャント線路ＳＬは他の導体路に比べて低減された導体路断面積を有する区間ＲＡを含む。図示された例では、低減された断面積は低減された幅によって達成されている。
【００２８】
１つの図示されたシャント線路ＳＬの他に、更なるシャント線路を設けることもでき、例えば端子面ＡＦ１とＡＦ４との間に設けることができる。端子面ＡＦ１とＡＦ２乃至はＡＦ３とＡＦ４もそれぞれシャント線路によって接続されうる。これらのコンポーネント構造体ＢＳが例えば端子面ＡＦ１とＡＦ２との間の高オーミック接続だけを表しているか又はコンポーネント構造体が２つの端子面ＡＦ１とＡＦ２乃至はＡＦ３とＡＦ４との間の電気的接続を全く保証しない場合に付加的なシャント線路が必要である。これらの場合には付加的なシャント線路ＳＬが必要である。各端子面ＡＦから又はコンポーネントの各金属被覆層構造体から複数の異なるシャント線路ＳＬが延び出て、これらを様々な金属被覆層構造体と接続しうる。
【００２９】
図２はセンシティブなコンポーネント構造体ＢＳの特殊な実施例として表面弾性波コンポーネント（ＳＡＷコンポーネント）の交差指状すだれ電極を示している。このコンポーネントは圧電基板Ｓの表面上に金属被覆層の形式で形成されている。交差指状すだれ電極はフラッシュオーバに対してセンシティブな２つのコンポーネント構造体ＢＳ１である２つの交差指状櫛から成る。金属ストリップとして形成された電極指を有するこれら２つの電極櫛は互いにずらされて組み合わされており、異なるコンポーネント構造体の電極指は互いにほんの僅かな間隔しか持たない。これら２つのコンポーネント構造体ＢＳ１、ＢＳ２のうちの一方に印加される静電電位は、容易にこれら２つのコンポーネント構造体ＢＳ１、ＢＳ２の直ぐ近くに隣り合う電極指の間での電気的降伏を引き起こす。
【００３０】
コンポーネント構造体は端子面ＡＦ１及びＡＦ２と電気的導体路によって接続されている。コンポーネント内で電気的に分離されたこれら２つの端子面ＡＦ１とＡＦ２との間に、本発明によればシャント線路ＳＬが設けられ、このシャント線路ＳＬがこれら２つの端子面を橋絡する。この図では、更なる詳細が図示されており、端子面は互いに向かい合った側面にそれぞれくさび形の金属被覆された面だけ拡張され、これらのくさび形の面の先端部が互いに向かい合っている。これらの先端部がシャント線路ＳＬを介して接続されている。このようにしてこれら２つのコンポーネント構造体ＢＳ１、ＢＳ２は電気的に短絡される。これらのコンポーネント構造体を有する基板はこのようにして降伏の危険なしに後続処理される。
【００３１】
後続処理の枠内で基板は例えばケーシング内に組み込まれ、端子面ＡＦはケーシングの又はベース基板の外部コンタクト面と接続される。図では、このために例えばボンディングワイヤＢＤによる接続が図示されている。ボンディングワイヤＢＤは端子面をケーシングのコンタクト面ＫＦに接続し、これらのコンタクト面ＫＦもまたコンポーネント全体の外部コンタクトと電気的に接続されている。コンポーネント構造体ＢＳを有する基板Ｓはバンプ接続を介してフリップチップ配置でケーシング下部の上に又は担体基板上に取り付けられ、端子面ＡＦはここには図示されていないこの実施例において合同に配置されたコンタクト面によって担体基板又はケーシング下部の上にバンプを介して導電的に及び機械的に固定して接続される。
【００３２】
後続処理の枠内で基板は最後に例えば直接基板上に装着されるキャップによって又はケーシング下部又はベースプレート上に装着されるケーシング上部によってさらにカバーされる。フリップチップ配置は基板の裏側に直接的に付けられているフィルム又はコーティングによってもカバーされうる。それにもかかわらず、ハウジングの後でも端子面ＡＦが外部コンタクト乃至はコンタクト面ＫＦを介して外部からアクセス可能であることが保証される。これは必要不可欠である。なぜなら、シャント線路ＳＬの分離が適当な電流パルスによって任意の時点に、とりわけコンポーネントの完全な完成の後で実施されうるからである。
【００３３】
図３は本発明の更に別の実施例を示し、基板上に３つ又はそれより多くのコンポーネント構造体ＢＳ１、ＢＳ２、ＢＳ３が設けられており、これらのコンポーネント構造体が作動可能な状態のコンポーネントにおいて電気的に互いに分離されている。これらのコンポーネント構造体の各々は少なくとも１つの端子面ＡＦ１、ＡＦ２、ＡＦ３に接続されている。これらの端子面のうちのそれぞれ２つがここではシャント線路ＳＬによって短絡されており、シャント線路ＳＬ１は端子面ＡＦ１とＡＦ２とを、シャント線路ＳＬ２は端子面ＡＦ２とＡＦ３とを互いに接続している。
【００３４】
更に別の構造体、層又はカバーの取り付けを含むコンポーネント全体の製造中の任意の時点に又は有利にはコンポーネント全体の完成の後に、シャント線路が分離される。このために端子面ＡＦ１及びＡＦ２にコントロールされた条件下で電圧が印加され、この電圧がコントロールされた電流フローをこれら２つの端子面ＡＦ１とＡＦ２との間に生じさせる。この電流フローは、シャント線路の高い抵抗に起因するシャント線路の加熱が導体路材料の溶解又は蒸発をもたらすように十分に大きく選択される。これによって、電流フローが中断され、電圧が上昇する。次いで、電気的に分離されたコンポーネント構造体ＢＳ１とＢＳ２との間の過電圧を回避するために、端子面が電流供給部乃至は電位から分離される。同一の溶断過程はシャント線路ＳＬ２においても端子面ＡＦ２及びＡＦ３への電圧の印加によって行われる。これは、全ての３つのコンポーネント構造体ＢＳ１、ＢＳ２、ＢＳ３が電気的に互いに分離されることをもたらす。この場合、比較的後期のコンポーネントにおける端子面のうちの２つのみがコンポーネント機能のために利用され、例えば端子面ＡＦ１及びＡＦ３のみが利用されることが可能である。コンポーネント構造体ＢＳ２はコンポーネント動作中には外部電位と全くコンタクトを持たないフローティング金属被覆層であってもよい。端子面ＡＦ２はこの場合専ら相応のシャント線路ＳＬ１、ＳＬ２の分離のために外部端子と接続され、この結果、そこに相応の電圧が印加される。
【００３５】
本発明の更に別の実施形態では、導体路ＬＢを直接シャント線路に接続することが可能である。この場合シャント線路は２つの接続すべき金属被覆層の間のできるだけ短い間隔を橋絡し、この場合にはここで必要とされる最小限の基板表面が有利である。しかし、１つのシャント線路又は複数のシャント線路を任意の長さでかつ任意の形で構成することも可能である。例えば、シャント線路をメアンダ構造として構成することが可能である。
【００３６】
しかし大抵の場合コンポーネントにおいてコンポーネント機能に影響を及ぼしうる付加的な寄生容量を形成しないためにシャント線路の金属被覆層面積及び金属被覆層厚さを最小化すると有利である。コンポーネント構造体ＢＳ自体をシャント線路を介して端子面ＡＦと接続することも可能である。これは、とりわけコンポーネント構造体の電気的接続が端子面ＡＦを介して行われるのではなく、コンポーネント構造体の別の箇所で、例えばボンディングワイヤ接続を介して又はバンプ接続を介して行われる場合に有利である。
【００３７】
図４は本発明の更に別の実施形態を示し、この実施形態ではウェハ平面上にコンポーネント構造体ＢＳ、導体路ＬＢ、端子面ＡＦ及びシャント線路ＳＬを発生するための金属被覆が行われる。基板はこの場合ウェハであり、このウェハ上において異なるコンポーネント領域が仮想の切断エッジＳＫによって互いに分離される。１つのステップにおいて時間的にパラレルに各コンポーネント領域に相応のコンポーネント構造体及び他の導電性構造体が設けられる。この図ではただ一つのコンポーネント領域の構造体だけが概略的に示されており、すなわち、２つの電気的に互いに分離されたコンポーネント構造体ＢＳ１及びＢＳ２が示されている。複数の端子面ＡＦは切断エッジＳＫをオーバーラップし、このため２つの隣接するコンポーネント領域に同時に所属するようにウェハ上に設けられている。これらの端子面は電気的にコンポーネント構造体ＢＳに接続されている。完成されたコンポーネント内のそれぞれ２つの隣り合う電気的に分離された端子面はシャント線路ＳＬを介して互いに接続されている。２つのコンポーネント領域に同時に所属する端子面ＡＦによってこうして隣接するコンポーネント領域のコンポーネント構造体が電気的に互いに接続され、この結果、全ての金属構造体がウェハ表面全体の上の全てのコンポーネント領域において電気的に互いに接続される。
【００３８】
ウェハが切断エッジＳＫに沿って例えば鋸によって分割されることによって、後の処理ステップでコンポーネントは切り離される。分離によって端子面が分割され、それぞれ半分が分割された２つのコンポーネント領域乃至は分割されたコンポーネントのうちの一方に所属する。２つの隣り合う端子面ＡＦ１’、ＡＦ２’がそれぞれ２つのシャント線路を介して互いに接続されており、これらのシャント線路がこれらの間にある切断エッジＳＫ１の両側に設けられているならば、切り離された基板の端子面は分離の後でもシャント線路を介して短絡される。これは、例えば基板の機械的な負荷を引き起こす鋸切断過程全体の間に静電気が隣り合うコンポーネント構造体ＢＳの間の電位差の形成を引き起こし得ないことを意味する。
【００３９】
ここでも個々のコンポーネントは引き続き後続処理され、場合によってはケーシングの中に組み込まれる。シャント線路の分離は任意の時点に行われ、有利には通常は各コンポーネント毎に最終検査において実施される測定過程の直前に行われる。ついでようやくコンポーネントが機能可能な状態となり、もはやシャント線路によって短絡されない。
【００４０】
本発明の実施形態では、コンポーネントジオメトリ及びコンポーネントの処理の要求に応じて、様々なシャント線路を異なる時点に乃至は異なる方法段階において分離することも可能である。図４に類似の変形実施形態では、コンポーネント構造体ＢＳは端子面ＡＦにシャント線路を介して接続され、他方で端子面ＡＦは互いに変形しにくく形成された導体路又は導電性フレームによって互いに接続されている。この実施形態では、フレームは全端子面の短絡をもたらし、他方でコンポーネント構造体はシャント線路を介してのみ端子面に接続されている。この構成においてもシャント線路は全製造プロセスの終了後に初めて溶断によって分離される。
【００４１】
図５は概略的な平面図において本発明の更なる構成を示し、この場合複数の異なるコンポーネント構造体ＢＳ１〜ＢＳ４が異なるシャント線路ＳＬを介して短絡されている。これらのシャント線路ＳＬは例えばコンポーネント構造体ＢＳの近傍に設けられたパッドＰ１、Ｐ２、Ｐ３、Ｐ４を端子面ＡＦ１、ＡＦ２、ＡＦ３、ＡＦ４に接続する。単一パッドＰ２から複数のシャント線路ＳＬが延び出ることもできる。
【００４２】
図６Ａは概略的な平面図において動作状態で外部端子への電気的接続がないコンポーネント構造体、いわゆるフローティング金属被覆層又はコンポーネント構造体をシャント線路だけによって他のコンポーネント構造体に接続する可能性を示す。シャント線路は電気的に直接的に又は間接的に端子と、例えば相応のパッドＰ１及びＰ２と接続されている区間ＳＬ’及びＳＬ’’から成る。地点ＲＡではシャント線路は断面積が低減されている。この地点ＲＡにはここではシャント線路のさらに別の区間ＳＬ’’’が接続されており、この区間ＳＬ’’’はフローティングコンポーネント構造体ＢＳ１に接続されている。
【００４３】
これらのシャント線路の溶断のためにパッドＰ１及びＰ２を介して電流が印加され、この電流は区間ＲＡにおける導体材料の溶解又は蒸発をもたらす。この場合、全ての３つの区間ＳＬ’、ＳＬ’’、ＳＬ’’’は電気的に分離される。図６Ｂは溶断の後の装置を示している。
【００４４】
図７は、フローティング金属構造体ＦＳをシャント線路の２つの区間ＳＬ’及びＳＬ’’によって橋絡する可能性を示している。これは、パッドがフローティング金属構造体、例えばアースフレーム又は磁気的遮蔽構造体によって囲まれている場合に必要である。溶断の際にはこれら２つの区間ＳＬ’及びＳＬ’’が同時に分離されうる。
【００４５】
本発明は少数の実施例だけに基づいて示されたにもかかわらず、これらの実施例に限定されない。本発明はとりわけシャント線路の個数、配置及び構成に関してここに示された実施例とは異なる更に別のここには示されていない構成も含む。しかし、常に重要なことは、完成されたコンポーネントにおけるシャント線路によって電気的に互いに分離されたコンポーネント構造体が短絡され、こうして電気的フラッシュオーバから保護されることである。
【図面の簡単な説明】
【００４６】
【図１】概略的な平面図における２つのコンポーネント構造体及び１つのシャント線路を有する本発明のコンポーネントの基板を示す。
【図２】本発明のシャント線路を有する特殊なコンポーネントの基板を示す。
【図３】複数のシャント線路を有するコンポーネント構造体を示す。
【図４】ウェハ上の本発明の金属被覆層を示す。
【図５】複数のシャント線路を有するコンポーネント構造体を示す。
【図６】溶断の前の複数の互いに接続されたシャント線路を示し（図６Ａ）及び溶断の後の複数の互いに接続されたシャント線路を示す（図６Ｂ）。
【図７】フローティング金属被覆層を橋絡するシャント線路を有するコンポーネント構造体を示す。
【符号の説明】
【００４７】
ＢＳ  コンポーネント構造体
ＡＦ  端子面
Ｓ  基板
ＬＢ  導体路
ＳＬ  シャント線路
ＲＡ  断面積の低減された区間
ＢＤ  ボンディングワイヤ
ＫＦ  コンタクト面
ＳＫ  切断エッジ
Ｐ  パッド
ＦＳ  フローティング金属構造体
【図１】
2007520949.tif 000003
【図２】
2007520949.tif 000004
【図３】
2007520949.tif 000005
【図４】
2007520949.tif 000006
【図５】
2007520949.tif 000007
【図６Ａ】
2007520949.tif 000008
【図６Ｂ】
2007520949.tif 000009
【図７】
2007520949.tif 000010
【国際調査報告】
2007520949.tif 000011
2007520949.tif 000012
2007520949.tif 000013
2007520949.tif 000014